(57)【要約】【課題】固形石鹸を使用開始時と同程度の洗浄力を保ったまま最後まで使い切る。【解決手段】板体１−ｋ（ｋ＝１、２）は、石鹸２０における厚み方向に対向する２つの面に装着される。板体１−ｋは、石鹸２０における厚み方向に対向する２つの面の中央の表層部分を水により溶かし、水により溶かした表層部分に当該板体１−ｋの裏面２Ｂ−ｋを貼り合わせ、当該表層部分と当該板体１−ｋの裏面２Ｂ−ｋとの間の水溶液を乾かすことによって装着対象の固形石鹸２０と一体化する。【選択図】図１
2014108293.tif 000002
【特許請求の範囲】
【請求項１】
各々が装着対象の固形石鹸における厚み方向に対向する２つの面に装着される一対の板体からなる固形石鹸の利用支援具であって、当該一対の板体の各々は、前記２つの面に収まる寸法の表面及び裏面を有し、当該一対の板体の各々の表面には複数個の突条が設けられており、当該一対の板体の各々の裏面には凹凸または起伏が設けられており、当該一対の板体の各々は、装着対象の固定石鹸における厚み方向に対向する２つの面の中央の表層部分を水により溶かし、水により溶かした表層部分に当該板体の裏面を貼り合わせ、当該表層部分と当該板体の裏面との間の水溶液を乾かすことによって装着対象の固形石鹸と一体化するように構成されていることを特徴とする固形石鹸の利用支援具。
【請求項２】
前記一対の板体の各々の表面には、第１の方向に延伸する複数個の突条及び前記第１の方向と直交する第２の方向に延伸する複数個の突条が配置領域を分けて設けられていることを特徴とする請求項１に記載の固形石鹸の利用支援具。
【請求項３】
各々が装着対象の固形石鹸における厚み方向に対向する２つの面に装着される一対の板体からなる固形石鹸の利用支援具であって、当該一対の板体の各々は、前記２つの面に収まる寸法の表面及び裏面と前記表面及び前記裏面の中央部間を貫く孔とを有する外側板片の前記孔に、前記孔に収まる寸法の表面及び裏面を有する内側板片を、外側板片の表面と内側板片の表面が面一になり且つ外側板片の裏面と内側板片の裏面が面一になるようにして嵌め込んだものであり、当該一対の板体の各々における外側板片及び内側板片の表面には複数個の突条が設けられており、当該一対の板体の各々における外側板片及び内側板片の裏面には凹凸または起伏が設けられており、当該一対の板体の各々は、装着対象の固定石鹸における厚み方向に対向する２つの面の中央の表層部分を水により溶かし、水により溶かした表層部分に当該板体の裏面を貼り合わせ、当該表層部分と当該板体の裏面との間の水溶液を乾かすことによって装着対象の固形石鹸と一体化するように構成されていることを特徴とする固形石鹸の利用支援具。
【発明の詳細な説明】
【技術分野】
【０００１】
この発明は、固形石鹸を無駄なく利用する技術に関する。
【背景技術】
【０００２】
近年、環境に優しい洗浄剤としての固形石鹸の有用性が再評価されつつある。固定石鹸の多くは、脂肪酸のアルカリ塩に小量の洗浄補助剤を混ぜたものを直方体状や円柱状の各種型に流し込んで固めたものである。固形石鹸の使い勝手を高める技術を開示した文献として、特許文献１がある。特許文献１に開示された石鹸保持部と凹部のセットは、固形石鹸を軟化させることなく保持するためのものである。この文献１における石鹸保持部は、下側に向かって凹んだ壺状をなしている。この石鹸保持部の底面の中心には上方に向かって突出したポール状の凸部が設けられている。この文献１における凹部は、石鹸保持部の凸部を収容可能な孔をもった突端形状をなしている。この文献１の技術では、固形石鹸の側面に凹部を突き刺すことによって固形石鹸と凹部を一体化する。その上で、固形石鹸と一体化した凹部の孔内に石鹸保持部の凸部を挿入するようにして、固形石鹸を石鹸保持部の中に収める。この収納状態では、固形石鹸は、凸部により石鹸保持部の底面の上方に支持される。このため、石鹸保持部の壁面上に滞留した水分に固形石鹸が触れたままになりその部分がふやけてしまう、という事態の発生が防止される。
【先行技術文献】
【特許文献】
【０００３】
【特許文献１】特開２００５−２８１６９号公報
【発明の概要】
【発明が解決しようとする課題】
【０００４】
しかしながら、特許文献１の技術では、固形石鹸がその利用を重ねるうちに縮小し、凹部の厚さよりも薄くなると、固形石鹸から凹部が外れてしまい、石鹸保持部の底面上に保持することができなくなってしまう。このため、特許文献１の技術では、石鹸を使用開始時の洗浄力を保ったまま最後まで使いきることができないという問題がある。
【０００５】
本発明は、このような課題に鑑みてなされたものであり、固形石鹸を使用開始時と同程度の洗浄力を保ったまま最後まで使い切ることができるようにすることを目的とする。
【課題を解決するための手段】
【０００６】
上記課題を解決するため、本発明は、各々が装着対象の固形石鹸における厚み方向に対向する２つの面に装着される一対の板体からなる固形石鹸の利用支援具であって、当該一対の板体の各々は、前記２つの面に収まる寸法の表面及び裏面を有し、当該一対の板体の各々の表面には複数個の突条が設けられており、当該一対の板体の各々の裏面には凹凸または起伏が設けられており、当該一対の板体の各々は、装着対象の固定石鹸における厚み方向に対向する２つの面の中央の表層部分を水により溶かし、水により溶かした表層部分に当該板体の裏面を貼り合わせ、当該表層部分と当該板体の裏面との間の水溶液を乾かすことによって装着対象の固形石鹸と一体化するように構成されていることを特徴とする固形石鹸の利用支援具を提供する。
【０００７】
本発明では、利用支援具における一対の板体は、装着対象の固形石鹸における厚み方向に対向する２つの面に装着される。このため、板体を装着した固形石鹸を板体の装着面を下にして市販の石鹸ホルダなど皿状体の上に置き、石鹸に付着していた水滴が皿状体上に流れ落ちたとしても、その水分が石鹸に触れることはない。よって、本発明によると、石鹸を皿状体に載せて保管する場合において、石鹸の皿状体側を向けた部分が水を吸ってふやけてしまう、という事態の発生を防止される。従って、本発明によると、固形石鹸をその使用開始時の洗浄力を損なわずに最後まで使い切ることができる。
【０００８】
また、本発明では、各板体の表面には、複数の突条が配置されている。このため、各板体の表面は、波打つような起伏を持ったものとなる。よって、固形石鹸における板体の装着面を身体に押し当てて擦った場合における泡立ちが良好になる。従って、本発明によると、石鹸の洗浄力をより高めることができる。
【０００９】
また、本発明では、各板体の裏面には、凹凸または起伏が設けられている。このため、固形石鹸と板体とを一体化した状態において、板体の裏面と固形石鹸の間に水分が浸み込んでその接合面の石鹸が一部溶けたとしても、板体が石鹸上を横滑りすることがない。よって、本発明によると、石鹸により身体を洗浄している間に板体が剥がれてしまう、という事態の発生を起こり難くすることができる。
【図面の簡単な説明】
【００１０】
【図１】本発明の第１実施形態である固形石鹸の利用支援具とこの支援具が装着された固形石鹸を示す図である。
【図２】図１の利用支援具における一つの板体を示す図である。
【図３】図１の利用支援具を装着した固形石鹸の使用手順を示す図である。
【図４】図１の利用支援具を装着した固形石鹸の使用手順を示す図である。
【図５】図１の利用支援具を装着した固形石鹸の使用手順を示す図である。
【図６】図１の利用支援具を装着した固形石鹸の使用手順を示す図である。
【図７】本発明の第２実施形態である固形石鹸の利用支援具とこの支援具が装着された固形石鹸を示す図である。
【図８】本発明の第３実施形態である固形石鹸の利用支援具とこの支援具が装着された固形石鹸を示す図である。
【図９】本発明の第４実施形態である固形石鹸の利用支援具とこの支援具が装着された固形石鹸を示す図である。
【図１０】本発明の利用支援具における一つの板体を示す図である。
【図１１】本発明の他の実施形態である固形石鹸の利用支援具とこの支援具が装着された固形石鹸を示す図である。
【発明を実施するための形態】
【００１１】
以下、図面を参照しつつ本発明の実施形態について説明する。
＜第１実施形態＞
図１（Ａ）は、本発明の第１実施形態である固形石鹸の利用支援具１５とこの支援具１５が装着された固形石鹸２０を正面から見た図である。図１（Ｂ）は、図１（Ａ）を矢印Ｂ方向から見た図である。図１（Ｃ）は、図１（Ｂ）のＣ−Ｃ’線断面図である。図１（Ｄ）は、図１（Ａ）を矢印Ｄ方向から見た図である。
【００１２】
固形石鹸２０は、包装紙等に包んで取引される市販の石鹸である。この石鹸２０は、厚さＨ１（例えば、Ｈ１＝２０ｍｍ）と、厚さＨ１よりも大きな横幅Ｗ１（例えば、Ｗ１＝５０ｍｍ）と、横幅Ｗ１よりも大きな縦幅Ｌ１（例えば、Ｌ１＝７５ｍｍ）の寸法を持った略直方体状をなしている。石鹸２０は、厚みＨ１方向に対向する面２１Ｆ及び２１Ｂと、横幅Ｗ１方向に対向する面２１Ｌ及び２１Ｒと、縦幅Ｌ１方向に対向する面２１Ｕ及び２１Ｄに囲まれている。石鹸２０における各面２１Ｆ、２１Ｂ、２１Ｌ、２１Ｒ、２１Ｕ、及び２１Ｄの交差部分は丸みを帯びている。石鹸２０における面２１Ｆ及び２１Ｂの面積は、他の面２１Ｌ、２１Ｒ、２１Ｕ、及び２１Ｄの面積よりも十分に広くなっている。
【００１３】
利用支援具１５は、石鹸２０における厚みＨ１方向に対向する２つの面２１Ｆ及び２１Ｂに装着される一対の板体１−ｉ（ｉ＝１、２）からなる。板体１−ｉ（ｉ＝１、２）の各々は、身体洗浄時における石鹸２０の泡立ちの良さを高める役割と石鹸ホルタ等の皿状体への載置時における石鹸２０と皿状体の接触部分の軟化を防ぐ役割とを果たすものである。
【００１４】
板体１−ｉの構成について詳細に説明する。図２（Ａ）は、板体１−ｉの正面図である。図２（Ｂ）は、図２（Ａ）を矢印Ｂ方向から見た図（表面図）である。図２（Ｃ）は、図２（Ａ）を矢印Ｃ方向から見た図（裏面図）である。板体１−ｉは、アクリル樹脂や金属のような水分を吸収し難い物質により形成されている。板体１−ｉは、厚さＨ２（例えば、Ｈ２＝１ｍｍ）、横幅Ｗ２（例えば、Ｗ２＝３０ｍｍ）、及び縦幅Ｌ２（例えば、Ｌ２＝５５ｍｍ）の寸法を有している。ここで、この板体１−ｉの横幅Ｗ２及び縦幅Ｌ２は、装着対象である石鹸２０の面２１Ｆ及び２１Ｂに収まる大きさにする。望ましくは、石鹸２０の横幅Ｗ１と板体１−ｉの横幅Ｗ２の差を１５〜２５ｍｍ、石鹸２０の縦幅Ｌ１と板体１−ｉの縦幅Ｌ２の差を１５〜２５ｍｍにするとよい。
【００１５】
板体１−ｉは、厚みＨ２方向に対向する表面２Ｆ−ｉ及び裏面２Ｂ−ｉと、この表面２Ｆ−ｉ及び裏面２Ｂ−ｉの周縁間に介在する周面２Ｏ−ｉとを有している。板体１−ｉの表面２Ｆ−ｉ及び裏面２Ｂ−ｉは矩形における４つの頂点の部分を丸めたような形状をなしている。
【００１６】
板体１−ｉの表面２Ｆ−ｉには、１２個の突条３ｍ（ｍ＝１〜１２）−ｉが設けられている。突条３ｍ（ｍ＝１〜１２）−ｉは、横幅Ｗ２方向に一直線状に延伸している。突条３ｍ（ｍ＝１〜１２）−ｉは、同じ間隔をあけて縦幅Ｌ２方向に並んでいる。突条３ｍ（ｍ＝１〜１２）−ｉにおける縦幅Ｌ２方向の両端のものを除く１０個の突条３２−ｉ〜Ｂ１１−ｉは横幅Ｗ２と同じ長さを有している。突条３１−ｉ及びＢ１３−ｉの長さは突条３２−ｉ〜Ｂ１１−ｉの長さよりも僅かに短くなっている。図１（Ａ）及び図２（Ａ）に示すように、突条３ｍ−ｉの断面（より具体的には、板体１−ｉを横幅Ｗ２方向の中央を通り且つ厚さＨ２方向と平行な面により切断した断面）は半円状をなしている。また、図１（Ｄ）及び図２（Ｂ）に示すように、突条３ｍ−ｉにおける横幅Ｗ２方向の両端部は四半球状に丸まっている。また、図２（Ｂ）の拡大枠内に示すように、突条３ｍ−ｉの一端部及他端部における丸まった部分の先端は周面２Ｏ−ｉに内側から接している。
【００１７】
図２（Ｃ）に示すように、板体１−ｉの裏面２Ｂ−ｉには、２２個の突起４ｎ（ｎ＝１〜２２）−ｉが設けられている。これらの突起４ｎ（ｎ＝１〜２２）−ｉにより、裏面２Ｂ−ｉには凹凸が形成される。突起４ｎ（ｎ＝１〜２２）−ｉは、裏面２Ｂ−ｉの周縁よりも僅かに内側にほぼ同じ間隔を開けて配置されている。突起４ｎ（ｎ＝１〜２２）−ｉのうち突起４１−ｉ〜４７−ｉと突起４１２−ｉ〜Ｓ１８−ｉは、縦幅Ｌ２方向に一直線状に並んでいる。突起４１−ｉ〜４７−ｉの列と突起４１２−ｉ〜Ｓ１８−ｉの列は横幅Ｗ２方向に離れている。突起４８−ｉ〜４１１−ｉと突起４１９−ｉ〜Ｓ２２−ｉは、横幅Ｗ２方向に一直線上に並んでいる。突起４８−ｉ〜４１１−ｉの列と突起４１９−ｉ〜Ｓ２２−ｉの列は縦幅Ｌ２方向に離れている。突起４ｎ（ｎ＝１〜２２）−ｉは円柱状をなしている。突起４ｎ（ｎ＝１〜２２）−ｉの先端部（裏面２Ｂ−ｉと反対側の端部）は丸みを帯びている。突起４ｎ（ｎ＝１〜２２）−ｉの高さ（裏面２Ｂ−ｉから突起４の先端部までの寸法）は板体１−ｉの厚さＨ２（Ｈ２＝１ｍｍ）と同じである。
【００１８】
この板体１−ｉの石鹸２０への装着の手順は以下の通りである。まず、石鹸２０をその面２１Ｆ及び２１Ｂのうち一方（例えば、面２１Ｆとする）を上に向けて平面上に置き、石鹸２０の面２１Ｆの中央の表層部分を水により溶かす。石鹸２０の面２１Ｆの中央部分を溶かした後、板体１−１及び１−２のうち一方（例えば、板体１−１とする）の裏面２Ｂ−１と石鹸２０における水により溶かした表層部分を板体１−１の縦幅Ｌ２及び横幅Ｗ２の向きと石鹸２０の縦幅Ｌ１及び横幅Ｗ１の向きを合わせて対向させ、そのまま板体１−１の裏面２Ｂ−１を石鹸２０に押し付けて板体１−１の裏面２Ｂ−１を石鹸２０の面２１Ｆにおける水により溶かした表層部分に貼り合わせる。板体１−１の裏面２Ｂ−１を石鹸２０の面２１Ｆの表層部分に貼り合わせた後、石鹸２０の表層部分と板体１−１の裏面２Ｂ−１との間の水溶液を乾かす。これにより、石鹸２０と板体１−１とが一体化する。
【００１９】
石鹸２０と板体１−１とを一体化させた後、石鹸２０及び板体１−１をその上下を逆にして（面２１Ｂを上に向けて）平面上に置き、石鹸２０の面２１Ｂの中央の表層部分を水により溶かす。石鹸２０の面２１Ｂの中央部分を溶かした後、もう一方の板体１−２の裏面２Ｂ−２と石鹸２０における水により溶かした表層部分を板体１−２の縦幅Ｌ２及び横幅Ｗ２の向きと石鹸２０の縦幅Ｌ１及び横幅Ｗ１の向きを合わせて対向させ、そのまま板体１−２の裏面２Ｂ−２を石鹸２０に押し付けて板体１−２の裏面２Ｂ−２を石鹸２０の面２１Ｂにおける水により溶かした表層部分に貼り合わせる。板体１−２の裏面２Ｂ−２を石鹸２０の面２１Ｂの表層部分に貼り合わせた後、石鹸２０の表層部分と板体１−２の裏面２Ｂ−２との間の水溶液を乾かす。これにより、石鹸２０と板体１−２とが一体化する。以上で石鹸２０への板体１−ｉ（ｉ＝１、２）の装着が完了する。
【００２０】
以上が、本実施形態の構成の詳細である。本実施形態によると、次の効果が得られる。
第１に、本実施形態では、利用支援具１５における一対の板体１−ｉ（ｉ＝１、２）は、装着対象の固形石鹸２０における厚みＨ１方向に対向する２つの面２１Ｕ及び２１Ｄに装着される。このため、板体１−ｉ（ｉ＝１、２）を装着した固形石鹸２０をその装着面２１Ｕ（または２１Ｄ）を下にして市販の石鹸ホルダなど皿状体の上に置き、石鹸２０に付着していた水滴が皿状体上に流れ落ちたとしても、その水分が石鹸２０に触れることはない。よって、本実施形態によると、石鹸２０を皿状体に載せて保管する場合において、石鹸２０の皿状体側を向けた部分が水を吸ってふやけてしまう、という事態の発生を防止することができる。
【００２１】
第２に、本実施形態では、各板体１−ｉの表面２Ｆ−ｉには、同じ方向を向いて延伸する複数の突条３ｍ（ｍ＝１〜１２）−ｉがそれらの延伸方向と直交する方向に並べて配置されている。このため、各板体１−ｉの表面２Ｆ−ｉは、波打つような起伏を持ったものとなる。よって、石鹸２０における板体１−ｉの装着面２１Ｕ（または２１Ｂ）を身体に押し当てて擦った場合における泡立ちが良好になる。従って、本実施形態によると、石鹸２０の洗浄力をより高めることができる。
【００２２】
第３に、本実施形態では、各板体１−ｉの裏面２Ｂ−ｉには、突起４ｎ（ｎ＝１〜２２）−ｉが設けられている。これらの突起４ｎ（ｎ＝１〜２２）−ｉにより、裏面２Ｂ−ｉには凹凸が形成される。石鹸２０と板体１−ｉとを一体化した状態において、板体１−ｉの突起４ｎ（ｎ＝１〜２２）−ｉは石鹸２０の面２１Ｕ（または２１Ｄ）における表層部分の奥まで食い込む。このため、板体１−ｉの裏面２Ｂ−ｉと石鹸２０の面２１Ｕ（または２１Ｄ）の間に水分が浸み込んで装着面２１Ｕ（または２１Ｄ）の石鹸２０が一部溶けたとしても、板体１−ｉが石鹸２０上を横滑りすることがない。よって、本実施形態によると、石鹸２０により身体を洗浄している間に板体１−ｉが剥がれてしまう、という事態の発生を起こり難くすることができる。
【００２３】
第４に、本実施形態では、板体１−ｉの表面２Ｆ−ｉ及び裏面２Ｂ−ｉは石鹸２０における面２１Ｆ及び２１Ｂに収まる寸法を有している。このため、板体１−ｉ（ｉ＝１、２）の各々を面２１Ｆ及び２１Ｂの中央に装着した場合、板体１−ｉ（ｉ＝１、２）における縦幅Ｌ２方向の両側と横幅Ｗ２方向の両側に石鹸２０がほぼ同じ幅で露出する。よって、本実施形態によると、石鹸２０を、直方体状の形を崩すことなく使うことができる。
【００２４】
ここで、板体１−ｉ（ｉ＝１、２）を装着した石鹸２０をきれいに使いきるために好適な使用方法について説明する。図３は、図１（Ａ）を矢印Ｆ方向から見た図（斜視図）である。本実施形態における板体１−ｉ（ｉ＝１、２）を装着した石鹸２０の好適な使用方法では、石鹸２０の使用時には、石鹸２０を濡らして板体１−ｉの装着面２１Ｆ（または２１Ｂ）により身体をこすり、不使用時には、板体１−ｉの装着面２１Ｆ（または２１Ｂ）を下にして皿状体の上に置くようにする。このような使用を重ねると、石鹸２０における板体１−ｉ（ｉ＝１、２）の外側に露出した部分が溶け、溶けた分だけ石鹸２０の板体１−ｉ（ｉ＝１、２）の外側の露出部分の幅が狭まっていく。同様の使用をさらに重ねると、図４に示すように、石鹸２０は板体１−ｉ（ｉ＝１、２）の外の部分がほとんど無くなるまで縮小する。この時点において、石鹸２０における板体１−１または１−２のうち一方を剥がす。図５は、図４における石鹸２０の板体１−１を剥がした直後の状態を示す図である。これ以降は、石鹸２０の使用時には、石鹸２０における板体１−ｉを剥がした側の面２１Ｆ（または２１Ｂ、図５の例では２１Ｆ）を身体に向けて身体をこすり、石鹸２０の不使用時には、板体１−ｉが装着さている側の面２１Ｂ（または２１Ｆ、図５の例では２１Ｂ）を下にして皿状体の上に置くようにする。このような使用を重ねると、石鹸２０は、板体２１−ｉを剥がした側から減ってゆき、最終的には板体１−ｉの裏面２Ｂ−ｉ上の石鹸２０が完全に無くなる。図６は、板体１−２の裏面２Ｂ−２上の石鹸２０の厚みが板体１−２の厚みＨ２とほぼ同じになるまで石鹸２０が減った状態を示す図である。以上のような使用方法によると、石鹸２０の軟化により洗浄力が損なわれることがなく、石鹸２０を最後の一片まで使い切ることができる。
【００２５】
＜第２実施形態＞
図７（Ａ）は、本発明の第２実施形態である固形石鹸の利用支援具１５Ａとこの支援具１５Ａが装着された固形石鹸２０を正面から見た図である。図７（Ｂ）は、図７（Ａ）を矢印Ｂ方向から見た図である。図７（Ｃ）は、図７（Ｂ）のＣ−Ｃ’線断面図である。図７（Ｄ）は、図７（Ａ）を矢印Ｄ方向から見た図である。本実施形態の利用支援具１５Ａにおける各板体１Ａ−ｉの表面２ＡＦ−ｉには、７個の突条３Ａ１−ｉ〜３Ａ７−ｉが設けられている。突条３Ａ１−ｉ〜３Ａ７−ｉの各々は、縦幅方向に一直線状に延伸している。突条３Ａ１−ｉ〜３Ａ７−ｉは、同じ間隔をあけて横幅方向に並んでいる。突条３Ａ１−ｉ〜３Ａ７−ｉにおける横幅方向の両端のものを除く５個の突条３Ａ２−ｉ〜３Ａ６−ｉは板体１Ａ−ｉの縦幅と同じ長さを有している。突条３Ａ１−ｉ及び３Ａ７−ｉの長さは突条３Ａ２−ｉ〜３Ａ６−ｉよりも僅かに短くなっている。突条３Ａ１−ｉ〜３Ａ７−ｉの各々の一端部及び他端部は、板体１Ａ−ｉの周面２Ｏ−ｉに内側から接している。以上が、本実施形態の構成の詳細である。本実施形態によっても、第１実施形態と同様の効果を奏することができる。
【００２６】
＜第３実施形態＞
図８（Ａ）は、本発明の第３実施形態である固形石鹸の利用支援具１５Ｂとこの支援具１５Ｂが装着された固形石鹸２０を正面から見た図である。図８（Ｂ）は、図８（Ａ）を矢印Ｂ方向から見た図である。図８（Ｃ）は、図８（Ｂ）のＣ−Ｃ’線断面図である。図８（Ｄ）は、図８（Ａ）を矢印Ｄ方向から見た図である。本実施形態の利用支援具１５Ｂにおける各板体１Ｂ−ｉの表面２ＢＦ−ｉには、縦幅方向に延在する６個の突条３Ｂ１−ｉ〜３Ｂ６−ｉと横幅方向に延在する７個の突条３Ｂ７−ｉ〜３Ｂ１３−ｉが各々の延在方向と直交する方向に並べて設けられている。
【００２７】
より具体的に説明すると、板体１Ｂ−ｉの表面２ＢＦ−ｉにおける縦幅方向の一端辺とこの辺よりも所定の距離だけ内側の位置との間の領域には突条３Ｂ１−ｉ〜３Ｂ３−ｉがある。板体１Ｂ−ｉの表面２ＢＦ−ｉにおける縦幅方向の他端辺とこの辺よりも所定の距離だけ内側の位置との間の領域には突条３Ｂ４−ｉ〜３Ｂ６−ｉがある。突条３Ｂ１−ｉ〜３Ｂ３−ｉと突条３Ｂ４−ｉ〜３Ｂ６−ｉは、同じ間隔をあけて縦幅方向に並んでいる。突条３Ｂ２−ｉ〜３Ｂ５−ｉは板体１Ｂ−ｉの横幅と同じ長さを有している。突条３Ｂ１−ｉ及び３Ｂ６−ｉの長さは突条３Ｂ２−ｉ〜３Ｂ５−ｉの長さよりも僅かに短くなっている。
【００２８】
板体１Ｂ−ｉの表面２ＢＦ−ｉにおける突条３Ｂ３−ｉと突条３Ｂ４−ｉの間の領域には突条３Ｂ７−ｉ〜３Ｂ１３−ｉがある。突条３Ｂ７−ｉ〜３Ｂ１３−ｉは、同じ間隔をあけて横幅方向に並んでいる。突条３Ｂ７−ｉ〜３Ｂ１３−ｉの一端は突条３Ｂ３−ｉに接している。突条３Ｂ７−ｉ〜３Ｂ１３−ｉの他端は突条３Ｂ４−ｉに接している。以上が、本実施形態の構成の詳細である。本実施形態によっても、第１及び第２実施形態と同様の効果を得ることができる。
【００２９】
＜第４実施形態＞
図９（Ａ）は、本発明の第３実施形態である固形石鹸の利用支援具１５Ｃとこの支援具１５Ｃが装着された固形石鹸２０’を正面から見た図である。図９（Ｂ）は、図９（Ａ）を矢印Ｂ方向から見た図である。図９（Ｃ）は、図９（Ｂ）のＣ−Ｃ’線断面図である。図９（Ｄ）は、図９（Ａ）を矢印Ｄ方向から見た図である。この利用支援具１５Ｃは、比較的大きい寸法の固形石鹸２０’に装着して利用される。
【００３０】
本実施形態において、利用支援具１５Ｃの装着対象の固形石鹸２０’は、厚さＨ４（例えば、Ｈ４＝２５ｍｍ）と、横幅Ｗ４（例えば、Ｗ４＝５５ｍｍ）と、縦幅Ｌ４（例えば、Ｌ４＝８２．５ｍｍ）の寸法を持った略直方体状をなしている。石鹸２０’は、厚みＨ４方向に対向する面２１Ｆ’及び２１Ｂ’と、横幅Ｗ４方向に対向する面２１Ｌ’及び２１Ｒ’と、縦幅Ｌ４方向に対向する面２１Ｕ’及び２１Ｄ’に囲まれている。石鹸２０’における各面２１Ｆ’、２１Ｂ’、２１Ｌ’、２１Ｒ’、２１Ｕ’、及び２１Ｄ’の交差部分は丸みを帯びている。石鹸２０’における面２１Ｆ’、２１Ｂ’の面積は、他の面２１Ｌ’、２１Ｒ’、２１Ｕ’、及び２１Ｄ’の面積よりも十分に広くなっている。
【００３１】
利用支援具１５Ｃは、石鹸２０’における厚みＨ４方向に対向する２つの面２１Ｆ’及び２１Ｂ’に装着される板体１Ｃ−ｉ（ｉ＝１、２）からなる。板体１Ｃ−ｉ（ｉ＝１、２）の各々は、外側板片４−ｉと内側板片５−ｉの２つの板片からなる。
【００３２】
板体１Ｃ−ｉにおける外側板片４−ｉ及び内側板片５−ｉの構成について詳細に説明する。図１０（Ａ）は、板体１Ｃ−ｉの正面図である。図１０（Ｂ）は、図１０（Ａ）を矢印Ｂ方向から見た図（表面図）である。図１０（Ｃ）は、図１０（Ａ）を矢印Ｃ方向から見た図（裏面図）である。板体１Ｃ−ｉにおける外側板片４−ｉ及び内側板片５−ｉは、アクリル樹脂や金属のような水分を吸収し難い物質により形成されている。
【００３３】
外側板片４−ｉは、厚さＨ５（例えば、Ｈ５＝１ｍｍ）、横幅Ｗ５（例えば、Ｗ５＝３５ｍｍ）、及び縦幅Ｌ５（例えば、Ｌ２＝５２．５ｍｍ）の寸法を有している。外側板片４−ｉは、厚みＨ５方向に対向する表面７Ｆ−ｉ及び裏面７Ｂ−ｉと、表面７Ｆ−ｉ及び裏面７Ｂ−ｉ間を貫く孔６−ｉと、表面７Ｆ−ｉ及び裏面７Ｂ−ｉにおける内側（孔６−ｉのある側）の周縁間に介在する内周面７Ｉ−ｉと、表面７Ｆ−ｉ及び裏面７Ｂ−ｉにおける外側の周縁間に介在する外周面７Ｏ−ｉとを有する。孔６−ｉは、横幅Ｗ６（例えば、Ｗ６＝２８ｍｍ）及び縦幅Ｌ６（例えば、Ｌ６＝４０ｍｍ）の寸法を有している。
【００３４】
外側板片４−ｉの表面７Ｆ−ｉには、１８個の突条９ｊ（ｊ＝１〜１８）−ｉが設けられている。突条９ｊ（ｊ＝１〜１８）−ｉは、横幅Ｗ５方向に一直線状に延伸している。突条９ｊ（ｊ＝１〜１８）−ｉにおける突条９４−ｉ〜９９−ｉと突条９１３−ｉ〜９１８−ｉは孔６−ｉを間に挟んで横幅Ｗ５方向に対向している。突条９ｊ（ｊ＝１〜１８）−ｉにおける隣り合うもの同士の間隔は同じになっている。突条９ｊ−ｉの断面（より具体的には、外側板片４−ｉを横幅Ｗ５方向の中央を通り且つ厚さＨ５方向と平行な面により切断した断面）は半円状をなしている。また、突条９４−ｉ〜９９−ｉと突条９１３−ｉ〜９１８−ｉの一端部及び他端部は外側板片４−ｉの内周面７Ｉ−ｉ及び外周面７Ｏ−ｉと接している。突条９１−ｉ〜９３−ｉと突条９１０−ｉ〜９１２−ｉの一端部及び他端部は外周面７Ｏ−ｉと接している。
【００３５】
外側板片４−ｉの裏面７Ｂ−ｉには、２２個の突起１０ｋ（ｋ＝１〜２２）−ｉが設けられている。これらの突起１０ｋ（ｋ＝１〜２２）−ｉにより、裏面７Ｂ−ｉには凹凸が形成される。突起１０ｋ（ｋ＝１〜２２）−ｉは、裏面７Ｂ−ｉの周縁よりも僅かに内側にほぼ同じ間隔を開けて配置されている。突起１０ｋ（ｋ＝１〜２２）−ｉのうち突起１０１−ｉ〜１０７−ｉと突起１０１２−ｉ〜１０１８−ｉは、縦幅Ｌ５方向に一直線状に並んでいる。突起１０１−ｉ〜１０７−ｉの列と突起１０１２−ｉ〜１０１８−ｉの列は横幅Ｗ５方向に離れている。突起１０８−ｉ〜１０１１−ｉと突起１０１９−ｉ〜１０２２−ｉは、横幅Ｗ５方向に一直線状に並んでいる。突起１０８−ｉ〜１０１１−ｉの列と突起１０１９−ｉ〜１０２２−ｉの列は縦幅Ｌ５方向に離れている。突起１０ｋ−ｉの先端部（裏面７Ｂ−ｉと反対側の端部）は丸みを帯びている。突起１０ｋ−ｉの高さ（裏面７Ｂ−ｉから突起１０ｋ−ｉの先端部までの寸法）は外側板片４−ｉの厚さＨ５と略同じである。
【００３６】
内側板片５−ｉは、厚さＨ５（Ｈ５＝１ｍｍ）、横幅Ｗ６（Ｗ６＝２８ｍｍ）、及び縦幅Ｌ６（Ｌ６＝４０ｍｍ）の寸法を有している。内側板片５−ｉは、厚みＨ５方向に対向する表面８Ｆ−ｉ及び裏面８Ｂ−ｉと、表面８Ｆ−ｉ及び裏面８Ｂ−ｉの周縁間に介在する周面８Ｏ−ｉに囲まれている。
【００３７】
内側板片５−ｉの表面８Ｆ−ｉには、４個の突条１１ｐ（ｐ＝１〜４）−ｉが設けられている。突条１１ｐ（ｐ＝１〜４）−ｉは、縦幅Ｌ６方向に一直線状に延伸している。突条１１ｐ（ｐ＝１〜４）−ｉは、同じ間隔をあけて横幅Ｗ６方向に並んでいる。突条１１ｐ−ｉの断面（より具体的には、内側板片５−ｉを縦幅Ｌ６方向の中央を通り且つ厚さＨ５方向と平行な面により切断した断面）は半円状をなしている。各突条１１ｐ−ｉの一端及び他端は周面８Ｏ−ｉにおける縦幅Ｌ６方向の一端辺及び他端辺に各々接している。
【００３８】
内側板片５−ｉの裏面８Ｂ−ｉには、１０個の突起１２ｑ（ｑ＝１〜１０）−ｉが設けられている。これらの突起１２ｑ（ｑ＝１〜１０）−ｉにより、裏面８Ｂ−ｉには凹凸が形成される。突起１２ｑ（ｑ＝１〜１０）−ｉは、裏面８Ｂ−ｉの周縁よりも僅かに内側にほぼ同じ間隔を開けて配置されている。突起１２ｑ（ｑ＝１〜１０）−ｉのうち突起１２１−ｉ〜１２３−ｉと突起１２６−ｉ〜１２８−ｉは、縦幅Ｌ６方向に一直線状に並んでいる。突起１２１−ｉ〜１２３−ｉの列と突起１２６−ｉ〜１２８−ｉの列は横幅Ｗ６方向に離れている。突起１２４−ｉ及び１２５−ｉと突起１２９−ｉ及び１２１０−ｉは、横幅Ｗ６方向に並んでいる。突起１２４−ｉ及び１２５−ｉの列と突起１２９−ｉ及び１２１０−ｉの列は縦幅Ｌ６方向に離れている。突起１２ｑ−ｉの先端部（裏面８Ｂ−ｉと反対側の端部）は丸みを帯びている。突起１２ｑ−ｉの高さ（裏面８Ｂ−ｉから突起１２ｑ−ｉの先端部までの寸法）は内側板片５−ｉの厚さＨ５と略同じである。
【００３９】
図１０（Ａ）、図１０（Ｂ）、及び図１０（Ｃ）に示すように、板体１Ｃ−ｉの内側板片５−ｉは、表面７Ｆ−ｉと表面８Ｆ−ｉを面一にし且つ裏面７Ｂ−ｉと裏面８Ｂ−ｉを面一にするようにして外側板片４−ｉの孔６−ｉに嵌め込まれている。この嵌合状態において、内側板片５−ｉの外周面８Ｏ−ｉは外側板片４−ｉの孔６−ｉの内周面７Ｉ−ｉに弱い摩擦力を持って当接している。本実施形態における板体１Ｃ−ｉの石鹸２０’への装着の手順は、第１乃至第３形態のそれと同様である。
【００４０】
以上が、本実施形態の構成の詳細である。本実施形態によると、次の効果が得られる。
第１に、本実施形態では、各板体１−ｉは、外側板片４−ｉの孔６−ｉ内に内側板片５−ｉを嵌め込んだものにより形成されている。ここで、上述したように、石鹸２０に装着された板体１−ｉ（ｉ＝１、２）のうち一方を剥がすと、石鹸２０は板体を剥がした方の面から減っていくため、直方体状の形が崩れていく。これに対し、本実施形態では、石鹸２０’に装着された板体１Ｃ−ｉにおける外側板片４−ｉだけを内側板片５−ｉから分離して石鹸２０’から剥がすことができる。よって、本実施形態によると、石鹸２０’における外側板片４−ｉ（ｉ＝１、２）の外側の露出部分が無くなった時点において外側板片４−ｉ（ｉ＝１、２）だけを剥がせば、内側板片５−ｉ（ｉ＝１、２）の外側の露出部分が無くなるまでは石鹸２０’は直方体状の形を保ったまま縮小していく。従って、本実施形態によると、板体１−ｉ（ｉ＝１、２）における外側板片４−ｉ（ｉ＝１、２）と内側板片５−ｉ（ｉ＝１、２）を段階的に剥がすことにより、直方体の形を長く保って使用することができる。
【００４１】
第２に、本実施形態では、板体１−ｉにおける外側板片４−ｉの孔６−ｉ内に内側板片５−ｉを嵌め込んだ状態において、外側板片４−ｉの表面７Ｆ−ｉと内側板片５−ｉの表面８Ｆ−ｉが面一になり且つ外側板片４−ｉの裏面７Ｂ−ｉと内側板片５−ｉの裏面８Ｂ−ｉが面一になっている。よって、外側板片４−ｉ及び内側板片５−ｉ間の段差により洗浄時の肌触りが悪くなる、という事態の発生を防止することができる。
【００４２】
以上、本発明の第１乃至第４実施形態について説明したが、かかる実施形態に以下の変形を加えてもよい。
（１）上記第１乃至第４実施形態における寸法値はあくまで例示に過ぎず、これと異なる寸法値を採用してもよい。
【００４３】
（２）上記第１乃至第４実施形態では、利用支援具１５、１５Ａ、１５Ｂ、１５Ｃの装着対象である固形石鹸は直方体状をなしていた。しかし、装着対象の固形石鹸は円柱状をなしていてもよい。この場合において、図１１に示すように、円柱状の固形石鹸２０”の利用支援具における一対の板体１Ｄ−ｉ（ｉ＝１、２）を円盤状とし、板体１Ｄ−ｉ（ｉ＝１、２）の各々の表面１３ＦＤ−ｉに同心円状をなす突条１５１−ｉ〜１５３−ｉを設け、板体１Ｄ−ｉ（ｉ＝１、２）の各々の裏面（不図示）に複数の突起（不図示）を設けるようにしてもよい。
【００４４】
（３）上記第１乃至第４実施形態では、利用支援具１５、１５Ａ、１５Ｂ、１５Ｃにおける一対の板体の裏面に凹凸が形成されていた。しかし、板体の裏面の一部分を窪ませるようにして裏面に起伏を設けるようにしてもよい。凹凸ではなくて起伏を設けたとしても、板体との石鹸との間のある程度の接合力を確保することはできる。
【符号の説明】
【００４５】
１…板体、３、９、１１…突条、４、１０、１２…突起、１５…利用支援具、２０…石鹸。
【図１】
2014108293.tif 000003
【図２】
2014108293.tif 000004
【図３】
2014108293.tif 000005
【図４】
2014108293.tif 000006
【図５】
2014108293.tif 000007
【図６】
2014108293.tif 000008
【図７】
2014108293.tif 000009
【図８】
2014108293.tif 000010
【図９】
2014108293.tif 000011
【図１０】
2014108293.tif 000012
【図１１】
2014108293.tif 000013